(57)【特許請求の範囲】
【請求項１】
電話回線を接続する電話回線接続端子と、外部電話またはコンピュータに接続された外部モデムのいずれかの機器を選択的に接続可能な共用端子と、送受信データの変復調を行う内部モデムと、前記共用端子に接続された機器による回線の閉結に基づき送出される出力信号を識別し前記共用端子に接続された機器を前記電話回線または前記内部モデムのいずれかに接続する切替制御手段と、を具備することを特徴とする外部機器切替機能付ファクシミリ装置。
【請求項２】
切替制御手段は、共用端子に接続された機器からの出力信号が外線接続コードである場合には前記機器を電話回線に接続し、前記出力信号がモデム接続コードである場合には前記機器を内部モデムに接続することを特徴とする請求項１記載の外部機器切替機能付ファクシミリ装置。
【請求項３】
内蔵電話を接続する内蔵電話接続端子を有し、共用端子に接続された機器からの出力信号が内蔵電話接続コードである場合には前記機器を前記内蔵電話に接続する、ことを特徴とする請求項２記載の外部機器切替機能付ファクシミリ装置。
【請求項４】
回線の閉結を検出するループ検出手段を装置内部へ設け、前記ループ検出手段による回線閉結検出後に共用端子に接続された機器からの出力信号の識別を実行することを特徴とする請求項１乃至請求項３のいずれかに記載の外部機器切替機能付ファクシミリ装置。
【請求項５】
切替制御手段は、ループ検出手段による回線閉結検出後に、内部モデムを共用端子と直接接続して共用端子に接続された機器からの出力信号を識別し、この出力信号がモデム接続コードである場合には、その後、前記内部モデムを前記共用端子とハイブリッド回路を介して接続し、前記共用端子に接続された機器からデータを受信して印刷を実行することを特徴とする請求項１乃至請求項４のいずれかに記載の外部機器切替機能付ファクシミリ装置。
【請求項６】
待機時に、外部電話またはコンピュータに接続された外部モデムのいずれかの機器を選択的に接続可能な共用端子の回線閉結検出を監視し、前記共用端子の回線閉結検出後に、共用端子に接続された機器からの出力信号の識別を行い、前記出力信号の識別後に、その識別結果に応じて前記共用端子に接続された機器を前記電話回線または内部モデムのいずれかに接続する切替制御を行うことを特徴とする外部機器切替機能付ファクシミリ装置の切替制御方法。
【発明の詳細な説明】
【０００１】
【発明の属する技術分野】
本発明は、外部機器として外部電話又はコンピュータを接続し、これと本体や他の外部機器との接続の自動切替を行う接続切替制御部を有する外部機器切替機能付ファクシミリ装置に関する。
【０００２】
【従来の技術】
近年、外部電話や、コンピュータ等のデータ端末を収容し、その接続を自動的に切替える装置として、例えば特公平７−７５３８９号「データ通信装置」公報の例が知られている。
【０００３】
また、ファクシミリ装置にも、外部電話接続専用端子（モジュラーコネクタ）及びコンピュータ接続専用端子を有し、外部電話やコンピュータ等のデータ端末を接続するものが有り、この端子を内部の専用接続処理回路等に接続し、収容する回線を通じて、外部電話による外線の送受信、あるいは、コンピュータによるインターネット等のネットワーク通信を夫々単独で行うものがある。
【０００４】
【発明が解決しようとする課題】
しかし、外部電話とコンピュータは、同時に使用することが無いにもかかわらず、上記のファクシミリ装置では、２系統のコネクタ及び装置内部の専用接続処理回路が必要となり、構成が複雑となり、無駄なスペースが発生する。
【０００５】
本発明は、以上のような実情に鑑みてなされたものであり、外部電話とコンピュータの接続コネクタを共用し、接続される機器を適宜切替制御することにより、無駄なスペースを排除しつつ回路構成の簡素化を図り、装置の小型化を図ることができる外部機器切替機能付ファクシミリ装置を提供することを目的とする。
【０００６】
【課題を解決するための手段】
本発明は上記課題を解決するために以下のような手段を講じた。
【０００７】
請求項１記載の発明は、電話回線を接続する電話回線接続端子と、外部電話またはコンピュータに接続された外部モデムのいずれかの機器を選択的に接続可能な共用端子と、送受信データの変復調を行う内部モデムと、前記共用端子に接続された機器による回線の閉結に基づき送出される出力信号を識別し前記共用端子に接続された機器を前記電話回線または前記内部モデムのいずれかに接続する切替制御手段と、を具備する構成とした。
【０００８】
この構成により、共用端子に接続された機器からの出力信号を識別し、共用端子に接続された機器を使用する際に、その接続が電話回線または内部モデムのいずれかに適宜切替えられるため、単一の端子を外部電話と外部モデムとで共用することができる。
【０００９】
この場合、切替制御手段の接続制御は、例えば、請求項２記載の発明のように、共用端子に接続された機器からの出力信号が外線接続コードである場合には機器を電話回線に接続し、出力信号がモデム接続コードである場合には機器を内部モデムに接続するように構成すればよい。
【００１０】
また、請求項３記載の発明のように、内蔵電話を接続する内蔵電話接続端子を有し、共用端子に接続された機器からの出力信号が内蔵電話接続コードである場合には前記機器を前記内蔵電話に接続するように構成することもできる。
【００１１】
これらの構成により、共用端子に接続された機器からの出力信号を一定形態のコード信号とし、そのコード種別により切替制御手段の接続制御を行うことができるため、単一の端子を外部電話と外部モデムとで共用でき、オペレータは、外部機器をこの共用端子に接続するだけで、他に特別な設定や操作を要することなく、簡単な制御で自由な接続切替を実現することができる。
【００１２】
また、請求項４記載の発明は、請求項１乃至請求項３のいずれかに記載の外部機器切替機能付ファクシミリ装置において、回線の閉結を検出するループ検出手段を装置内部へ設け、前記ループ検出手段による回線閉結検出後に共用端子に接続された機器からの出力信号の識別を実行する構成とした。
【００１３】
この構成により、切替制御手段は、回線の閉結の検出を待って初めて共用端子に接続された機器からの出力信号を識別し切替制御を行えばよいので、共用端子に接続された機器からの出力信号を常時監視する必要がなくなり、切替制御手段の負担を軽減することができる。
【００１４】
また、請求項５記載の発明は、請求項１乃至請求項４のいずれかに記載の外部機器切替機能付ファクシミリ装置において、切替制御手段は、ループ検出手段による回線閉結検出後に、内部モデムを共用端子と直接接続して共用端子に接続された機器からの出力信号を識別し、この出力信号がモデム接続コードである場合には、その後、前記内部モデムを前記共用端子とハイブリッド回路を介して接続し、前記共用端子に接続された機器からデータを受信して印刷を実行する構成とした。
【００１５】
この構成により、切替制御手段は、接続待機中に共用端子の回線閉結を監視する一方、閉結検出後に共用端子に接続された機器からの出力信号の識別指示を行うとともに、切替制御後にデータの受信、印刷処理部へのデータの転送等の複数の動作が実行されることとなり、装置の制御効率が向上する。
【００１６】
また、請求項６記載の発明は、方法の発明であり、待機時に、外部電話またはコンピュータに接続された外部モデムのいずれかの機器を選択的に接続可能な共用端子の回線閉結検出を監視し、前記共用端子の回線閉結検出後に、共用端子に接続された機器からの出力信号の識別を行い、前記出力信号の識別後に、その識別結果に応じて前記共用端子に接続された機器を前記電話回線または内部モデムのいずれかに接続する切替制御を行う構成とした。
【００１７】
この方法により、共用端子に接続された機器からの出力信号を識別し、共用端子に接続された機器を使用する際に、その接続が電話回線または内部モデムのいずれかに適宜切替えられるため、単一の端子を外部電話と外部モデムとで共用することができ、接続の切替に際して、回線の閉結の検出を待って初めて共用端子に接続された機器からの出力信号を識別し切替制御を行えばよいので、共用端子に接続された機器からの出力信号を常時監視する必要がなくなり、切替制御を簡易に実行できる。
【００１８】
【発明の実施の形態】
以下、本発明の実施の形態を図面を参照して具体的に説明する。
【００１９】
図１は、本発明の実施の形態に係る外部機器切替機能付ファクシミリ装置における外部機器切替部の着信待機の状態を示すブロック図である。
【００２０】
外部機器切替機能付ファクシミリ装置は、データの送信時の変調又は受信時の復調を行うモデム１と、外部電話又はコンピュータから出力された信号のコードを識別する主制御装置２と、各スイッチの接続切替制御を行う接続切替制御部３と、モデム１の送受信端子を分岐するハイブリッド分配器（ＨＹＢ）４と、回線閉結を認識するため、直流ループの形成を検出するループ検出部５と、を有している。
【００２１】
また、外部機器切替機能付ファクシミリ装置は、外線からの電話回線が接続される電話回線端子Ｔ１と、外部電話又はコンピュータに接続された外部モデムからのコードの先端プラグが接続される外部電話／コンピュータ共用端子Ｔ２と、内蔵電話からのコードの先端プラグが接続される内蔵電話端子Ｔ３と、を有している。
【００２２】
更に、外部機器切替機能付ファクシミリ装置は、モデム１を外部電話／コンピュータ共用端子Ｔ２又は電話回線端子Ｔ１のいずれか一方に選択的に接続するスイッチＳＷ１と、電話回線端子Ｔ１を外部電話／コンピュータ共用端子Ｔ２又はモデム１のいずれか一方に選択的に接続するスイッチＳＷ２と、外部電話／コンピュータ共用端子Ｔ２を電話回線端子Ｔ１又はモデム１のいずれか一方に選択的に接続するスイッチＳＷ３と、内蔵電話端子Ｔ３を電話回線端子Ｔ１又は外部電話／コンピュータ共用端子Ｔ２のいずれか一方に選択的に接続するスイッチＳＷ４と、モデム１の受信ポートを外部電話／コンピュータ共用端子Ｔ２又はハイブリッド分配器（ＨＹＢ）４のいずれか一方に選択的に接続するスイッチＳＷ５と、を有している。
【００２３】
以下、その切替制御について、図面を参照して具体的に説明する。
【００２４】
着信待機の状態では、スイッチＳＷ１の可動接点ＡＢは接点Ａを選択し、スイッチＳＷ２の可動接点ＣＤは接点Ｄを選択し、スイッチＳＷ３の可動接点ＥＦは接点Ｅを選択し、スイッチＳＷ４の可動接点ＧＨは接点Ｇを選択し、スイッチＳＷ５の可動接点ＩＪは接点Ｊを選択する。すなわち、外部電話又はコンピュータは、外部電話／コンピュータ共用端子Ｔ２、接点Ｅ、接点Ｄ及び電話回線端子Ｔ１を通じて電話回線と、また、外部電話／コンピュータ共用端子Ｔ２、接点Ｅ、接点Ｇ及び内蔵電話端子Ｔ３を通じて内蔵電話と夫々接続し、着呼待ちの状態である。また、外部電話又はコンピュータと主制御装置２は接続せず、主制御装置２は、外部電話又はコンピュータからの信号を受信できない。
【００２５】
図２は、接続待機の状態を示すブロック図である。接続待機の状態では、スイッチＳＷ１の可動接点ＡＢは接点Ａを選択し、スイッチＳＷ２の可動接点ＣＤは接点Ｄを選択し、スイッチＳＷ３の可動接点ＥＦは接点Ｆを選択し、スイッチＳＷ４の可動接点ＧＨは接点Ｇを選択し、スイッチＳＷ５の可動接点ＩＪは接点Ｊを選択する。すなわち、外部電話又はコンピュータは、外部電話／コンピュータ共用端子Ｔ２、接点Ｆ、接点Ｊ及びモデム１を通じて主制御装置２と接続し、外部電話又はコンピュータから信号が送信されれば、主制御装置２はこれを受信できる。また、外部電話又はコンピュータは、可動接点ＥＦにおいて、電話回線及び内蔵電話との接続が切断され、外線又は内蔵電話からの呼を着呼できない。
【００２６】
図３は、外線接続の状態を示すブロック図である。外線接続の状態では、スイッチＳＷ１の可動接点ＡＢは接点Ａを選択し、スイッチＳＷ２の可動接点ＣＤは接点Ｄを選択し、スイッチＳＷ３の可動接点ＥＦは接点Ｅを選択し、スイッチＳＷ４の可動接点ＧＨは接点Ｈを選択し、スイッチＳＷ５の可動接点ＩＪは接点Ｊを選択する。すなわち、外部電話又はコンピュータは、外部電話／コンピュータ共用端子Ｔ２、接点Ｅ、接点Ｄ及び電話回線端子Ｔ１を通じて電話回線と接続し、外部電話による外線の送受信、あるいは、コンピュータによるインターネット等のネットワーク通信が可能となる。また、外部電話は、可動接点ＧＨにおいて、内蔵電話との接続が切断され、内蔵電話からの呼を着呼できない。
【００２７】
図４は、モデム接続の状態を示すブロック図である。モデム接続の状態では、スイッチＳＷ１の可動接点ＡＢは接点Ｂを選択し、スイッチＳＷ２の可動接点ＣＤは接点Ｄを選択し、スイッチＳＷ３の可動接点ＥＦは接点Ｆを選択し、スイッチＳＷ４の可動接点ＧＨは接点Ｈを選択し、スイッチＳＷ５の可動接点ＩＪは接点Ｉを選択する。すなわち、コンピュータは、外部電話／コンピュータ共用端子Ｔ２、接点Ｆ、接点Ｂ、ハイブリッド分配機（ＨＹＢ）４及び接点Ｉを通じてモデム１と接続し、コンピュータとファクシミリ装置本体との通信が可能となり、装置本体に付属するスキャナで読み込んだデータをコンピュータへ送信したり、コンピュータから送信されたデータを装置本体に付属するプリンタに出力することも可能である。
【００２８】
図５は、内蔵電話接続の状態を示すブロック図である。内蔵電話接続の状態では、スイッチＳＷ１の可動接点ＡＢは接点Ａを選択し、スイッチＳＷ２の可動接点ＣＤは接点Ｄを選択し、スイッチＳＷ３の可動接点ＥＦは接点Ｆを選択し、スイッチＳＷ４の可動接点ＧＨは接点Ｈを選択し、スイッチＳＷ５の可動接点ＩＪは接点Ｊを選択する。すなわち、外部電話は、外部電話／コンピュータ共用端子Ｔ２、接点Ｆ、接点Ｈ及び内蔵電話端子Ｔ３を通じて内蔵電話と接続し、内線通話が可能となる。また、外部電話は、可動接点ＥＦにおいて、電話回線との接続が切断され、外線からの呼を着呼できない。
【００２９】
このように、主制御装置２が、外部電話／コンピュータ共用端子Ｔ２に接続された外部電話又はコンピュータから送信された信号のコードを識別し、接続切替制御部３が、識別したコードに基づいて、適宜スイッチの切替制御を行うため、外部電話又はコンピュータに接続された外部モデムに接続される端子を共用しつつも、簡単な制御で自由な自由な接続切替を実現することができる。
【００３０】
次いで、着信待機の状態から、各機器間の接続が行われるまでの手順を図６のフロー図に従い説明する。
【００３１】
まず、外部電話又はコンピュータが、直流ループを形成していないときは、各接点は図１に示す着信待機の状態を維持する（Ｓ６０１）。すなわち、外部電話又はコンピュータは、外部電話／コンピュータ共用端子Ｔ２、接点Ｅ、接点Ｄ及び電話回線端子Ｔ１を通じて電話回線と、また、外部電話／コンピュータ共用端子Ｔ２、接点Ｅ、接点Ｇ及び内蔵電話端子Ｔ３を通じて内蔵電話と夫々接続し、着呼待ちの状態である。また、外部電話又はコンピュータと主制御装置２は接続せず、主制御装置２は、外部電話又はコンピュータから信号を受信できない。これにより、ループ検出部５が直流ループが形成を検出して、初めて外部電話又はコンピュータから送信された信号を識別し、切替制御を行えばよいので、主制御装置２が外部電話／コンピュータ共用端子Ｔ２から入力される信号の有無を逐次監視する手間が省ける。
【００３２】
次に、オペレーターが外部電話の受話器をオフフックするか、あるいは、コンピュータによりこれに相当する操作をすると直流ループが形成され、ループ検出部５がこれを検出し、主制御装置２に検出信号を送信する（Ｓ６０２）。
【００３３】
次に、主制御装置２が、ループ検出部５から検出信号を受信すると、接続切替制御部３が、スイッチＳＷ３の可動接点ＥＦを接点Ｅから接点Ｆに切替え、図２に示すように、外部電話又はコンピュータは、外部電話／コンピュータ共用端子Ｔ２、接点Ｆ、接点Ｊ及びモデム１を通じて主制御装置２と接続し、主制御装置２は、外部電話又はコンピュータから信号を受信可能となる（Ｓ６０３）。また、外部電話又はコンピュータは、可動接点ＥＦにおいて、電話回線及び内蔵電話との接続が切断され、外線又は内蔵電話からの呼を着呼できない。
【００３４】
もし、ここで、オペレーターが外部電話の受話器をオンフックするか、あるいは、コンピュータによりこれに相当する操作をすると直流ループが切断され、ループ検出部５が、これを検出し、主制御装置２に検出信号を送信する（Ｓ６０４）。
【００３５】
主制御装置２が、この検出信号を受信すると、接続切替制御部３が、スイッチＳＷ３の可動接点ＥＦを接点Ｆから接点Ｅに切替え、図１に示す着信待機に戻る（Ｓ６０１）。
【００３６】
次に、図２に示す接続待機中に、外部電話又はコンピュータが、外部機器との接続を要求する信号を送信すると、これを受信した主制御装置２は、その信号のコード種別により、どの外部機器との接続を要求するものかを識別する（Ｓ６０５）。この信号のコードには、外線との接続を要求する外線接続コード、モデムとの接続を要求するモデム接続コード及び内線電話との接続を要求する内線電話接続コードの３種類があり、例えば、「０」で始まる信号コードは外線接続コード、「７」で始まる信号コードはモデム接続コード、そして、「３」で始まる信号コードは内線電話接続コードと、あらかじめ主制御装置２に設定しておけば、その識別を容易に行うことができる。
【００３７】
接続切替制御部３は、主制御装置２にて識別された信号のコードに基づいて、各接点の接続を以下のように切替える。なお、この信号の種類に基いて、各接点を自動切替することにより、誤動作を防止し、確実に所望の接続切替を行うことができる。
【００３８】
まず、外線接続コードの場合（Ｓ６０６）、接続切替制御部３は、スイッチＳＷ３の可動接点ＥＦを接点Ｆから接点Ｅに、スイッチＳＷ４の可動接点ＧＨを接点Ｇから接点Ｈに夫々切替え、図３に示すように、外部電話又はコンピュータは、外部電話／コンピュータ共用端子Ｔ２、接点Ｅ、接点Ｄ及び電話回線端子Ｔ１を通じて電話回線と接続し、外部電話による外線の送受信、あるいは、コンピュータによるインターネット等のネットワーク通信が可能となる（Ｓ６０７）。また、外部電話は、可動接点ＧＨにおいて、内蔵電話との接続が切断され、内蔵電話からの呼を着呼できない。
【００３９】
次に、モデム接続コードの場合（Ｓ６０８）、接続切替制御部３は、スイッチＳＷ１の可動接点ＡＢを接点Ａから接点Ｂに、スイッチＳＷ４の可動接点ＧＨを接点Ｇから接点Ｈに、スイッチＳＷ５の可動接点ＩＪを接点Ｊから接点Ｉに夫々切替え、図４に示すように、コンピュータは外部モデムを介して、外部電話／コンピュータ共用端子Ｔ２、接点Ｆ、接点Ｂ、ハイブリッド分配機（ＨＹＢ）４及び接点Ｉを通じて、モデム１と接続し、ファクシミリ装置本体との送受信が可能となる（Ｓ６０９）。これにより、コンピュータからデータを送信することにより本ファクシミリ装置をプリンタとして使用することが可能となる。また、コンピュータは、可動接点ＥＦにおいて、電話回線との接続が切断され、外線からの呼を着呼できない。
【００４０】
このように、切替制御手段は、接続待機中に共用端子の回線閉結を監視する一方、回線閉結検出後に共用端子に接続された機器からの出力信号の識別指示を行うとともに、切替制御後にデータの受信、印刷処理部へのデータの転送等の複数の動作を実行することとなり、装置の制御効率が向上する。
【００４１】
次に、内線電話接続コードの場合（Ｓ６１０）、接続切替制御部３は、スイッチＳＷ４の可動接点ＧＨを接点Ｇから接点Ｈに切替え、図５に示すように、外部電話は、外部電話／コンピュータ共用端子Ｔ２、接点Ｆ、接点Ｈ及び内蔵電話端子Ｔ３を通じて内蔵電話と接続し、内線通話が可能となる（Ｓ６１１）。また、外部電話は、可動接点ＥＦにおいて、電話回線との接続が切断され、外線からの呼を着呼できない。
【００４２】
このように、共用端子に接続された機器からの出力信号を一定形態のコード信号とし、そのコード種別により切替制御手段の接続制御を行うことができるため、単一の端子を外部電話と外部モデムとで共用でき、オペレータは、外部機器をこの共用端子に接続するだけで、他に特別な設定や操作を要することなく、簡単な制御で自由な接続切替を実現することができる。
【００４３】
【発明の効果】
以上説明したように本発明によれば、共用端子に接続された機器による回線の閉結に基づき送出される出力信号を識別するので、共用端子に接続された機器から入力される信号の有無を逐次監視する手間が省け、接続される機器を適宜切替制御することができ、無駄なスペースを排除しつつ回路構成の簡素化と装置の小型化を図ることができる。
【図面の簡単な説明】
【図１】本発明の一実施の形態に係る外部機器切替機能付ファクシミリ装置の着信待機の状態を示すブロック図。
【図２】本発明の一実施の形態に係る外部機器切替機能付ファクシミリ装置の接続待機の状態を示すブロック図。
【図３】本発明の一実施の形態に係る外部機器切替機能付ファクシミリ装置の外線接続の状態を示すブロック図。
【図４】本発明の一実施の形態に係る外部機器切替機能付ファクシミリ装置のモデム接続の状態を示すブロック図。
【図５】本発明の一実施の形態に係る外部機器切替機能付ファクシミリ装置の内蔵電話接続の状態を示すブロック図。
【図６】本発明の一実施の形態に係る外部機器切替機能付ファクシミリ装置の着信待機の状態から、各機器間の接続が行われるまでの手順を示すフロー図。
【符号の説明】
１  モデム
２  主制御装置
３  接続切替制御部
Ｔ１  電話回線端子
Ｔ２  外部電話／コンピュータ共用端子
Ｔ３  内蔵電話端子
【図１】
0003697336.tif 000002
【図２】
0003697336.tif 000003
【図３】
0003697336.tif 000004
【図４】
0003697336.tif 000005
【図５】
0003697336.tif 000006
【図６】
0003697336.tif 000007